(57)【要約】【課題】  ディスクの非搬送状態においても、ローラアームとディスクとが接触するのを防止することが可能なディスク再生装置を提供すること。【解決手段】  ディスク１１を搬送すると共にこのディスク１１を再生することが可能なディスク再生装置１０であり、搬送ローラ４０を具備し、この搬送ローラ４０の高さ位置をディスク１１に接触する搬送位置とディスク１１から離れる非搬送位置とに切り替え可能なローラアーム３０と、ローラアーム３０を挟んでディスク１１とは反対側の部位に設けられると共に、ローラアーム３０に対して搬送位置に向かう付勢力を与える付勢手段６０と、ローラアーム３０が非搬送位置にある状態において、ローラアーム３０が付勢手段６０により変形し、ディスク１１側へ浮き上がるのを抑える浮き上がり防止機構３６，５１と、を具備している。【選択図】  図２
2005267753.tif 000002
【特許請求の範囲】
【請求項１】
ディスクを搬送すると共にこのディスクを再生することが可能なディスク再生装置において、
搬送ローラを具備し、この搬送ローラの高さ位置を上記ディスクに接触する搬送位置と上記ディスクから離れる非搬送位置とに切り替え可能なローラアームと、
上記ディスクが搬送される際に該ディスクとは干渉しない部位に設けられると共に、上記ローラアームに対して上記搬送位置に向かう付勢力を与える付勢手段と、
上記ローラアームが上記非搬送位置にある状態において、上記ローラアームが上記付勢手段により変形して上記ディスク側へ浮き上がるのを抑える浮き上がり防止機構と、
を具備することを特徴とするディスク再生装置。
【請求項２】
前記ローラアームは、前記搬送ローラを回動自在に支持する一対の側方支持部と、該一対の側方支持部の間に設けられるプレート部と、を有すると共に、
前記浮き上がり防止機構は、上記プレート部のうち長手方向の中央部分に設けられる浮き防止爪と、
上記ローラアームとは異なる別部材に設けられ、上記浮き防止爪よりも前記ディスクが配置される側に設けられると共に、上記浮き防止爪に対して前記ディスクが配置される側から当接可能な押さえ軸と、
を有することを特徴とする請求項１記載のディスク再生装置。
【請求項３】
前記プレート部には、その長手方向の中央部分に、前記ディスクの差し込み側に向かって突出する突出部が設けられていると共に、
前記浮き防止爪は、上記突出部の一側辺に設けられ、
前記押さえ軸は前記別部材のうち前記浮き防止爪に対応する部位に１つ設けられることを特徴とする請求項２記載のディスク再生装置。
【請求項４】
前記プレート部には、その長手方向の中央部分に、前記ディスクの差し込み側に向かって突出する突出部が設けられていると共に、
前記浮き防止爪は、上記突出部の一側辺および他側辺にそれぞれ設けられ、
前記押さえ軸は前記別部材のうち前記浮き防止爪にそれぞれ対応する部位に１つずつ設けられることを特徴とする請求項２記載のディスク再生装置。
【請求項５】
前記ローラアームは、一対の前記側方支持部のそれぞれに設けられている軸受部を支点として回動自在に設けられていると共に、
前記浮き防止爪は、平面状の当接面を有し、この当接面を介して前記押さえ軸と当接していると共に、
一対の上記軸受部を結ぶ回転中心線は、上記当接面上に存在する、
ことを特徴とする請求項２から４のいずれか１項に記載のディスク再生装置。
【請求項６】
前記ローラアームは、一対の前記側方支持部のそれぞれに設けられている軸受部を支点として回動自在に設けられていると共に、
前記浮き防止爪は、平面状の当接面を有し、この当接面を介して前記押さえ軸と当接していると共に、
一対の上記軸受部を結ぶ回転中心線は、上記当接面から外れた部位に設けられている、
ことを特徴とする請求項２から４のいずれか１項に記載のディスク再生装置。
【請求項７】
前記浮き防止爪のうち前記ディスクが配置される側と反対側には外周押さえ部が設けられ、この外周押さえ部と前記押さえ軸によって、前記ディスクが配置される側とその反対側から前記浮き防止爪を挟み込むことを特徴とする請求項２から５のいずれか１項に記載のディスク再生装置。
【請求項８】
前記押さえ軸側から前記外周押さえ部側に向かう前記浮き防止爪の断面形状は、半円形状に形成されると共に、前記浮き防止爪の半円の径方向中心が前記回転中心線上に設けられていることを特徴とする請求項７記載のディスク再生装置。
【請求項９】
前記ローラアームは、前記搬送ローラを回動自在に支持する一対の側方支持部と、該一対の側方支持部の間に設けられるプレート部と、を有すると共に、
前記浮き上がり防止機構は、挿通穴を具備し上記プレート部のうち長手方向の中央部分に設けられる覆い部と、
上記ローラアームとは異なる別部材に設けられ、上記挿通穴に挿通される押さえ軸と、
を有することを特徴とする請求項１記載のディスク再生装置。
【発明の詳細な説明】
【技術分野】
【０００１】
本発明は、ディスク再生装置に関する。
【背景技術】
【０００２】
ディスク再生装置の手前側における、搬送ローラ付近の構成（ディスクローディング機構の構成）としては、図１６に示すものがある。このディスクローディング機構は、回転軸２を中心として回動するローラアーム３を具備している。ローラアーム３は、例えば樹脂製の薄い板状のプレート部４を有している。また、ローラアーム３には、ディスク１を搬送するための搬送ローラ５が回動可能に取り付けられている。
【０００３】
プレート部４には、その下方側（メインシャーシ６側）から圧着バネ７が押し当てられている。圧着バネ７は、ディスク１のローディング状態において、搬送ローラ５を上方に押し上げる付勢力を与えるものである。かかる圧着バネ７は、ローラアーム３の長手方向の両端に、それぞれ１つずつ設けられている。ローラアーム３は、ディスク１のチャッキング状態においては、スライダ８の手前側に向かうスライドにより回動させられ、回転軸２を中心として下方側に押し下げられる。それにより、ディスク１と搬送ローラ５とが離れ、該ディスク１をターンテーブル（不図示）に対してチャッキング可能となる。
【０００４】
なお、かかるローラアーム３を回動させる構成を示すものとしては、特許文献１に開示されている技術内容がある。
【０００５】
【特許文献１】特開１１−８６３９９号公報（段落番号０００３、図１および図２参照）
【発明の開示】
【発明が解決しようとする課題】
【０００６】
ところで、ディスク１をチャッキングした後に、ディスク１を再生している状態において、該ディスク１の記録面とローラアーム３とが接触するケースがある。特に、ローラアーム３が、撓み易い（剛性の低い）薄い板状のプレート部４を備える場合、圧着バネ７によって該プレート部４の長手方向の両端側に付勢力が加えられると、プレート部４が上方側（ディスク１側）に向かって湾曲する（撓む）ことが多い（図１７参照）。
【０００７】
かかる撓みにより、プレート部４の長手方向における中央部分は反り返りの頂部となるが、その部分でディスク１の記録面（裏面）と接触するケースがある。特に、近年は、ディスク再生装置の薄型化が為されているため、撓みによる接触は、一層生じ易くなっている。ディスク１の再生状態においては、該ディスク１は高速回転しているため、かかる接触が生じると、ディスク１の記録面に傷が形成される。このような傷が形成されると、ディスク１の再生性能が低下すると共に、ディスク１の商品価値が低下する等の問題が生じる。このような問題は、特許文献１に開示されている構成でも解決されておらず、同様に生じる。
【０００８】
なお、かかるプレート部４（ローラアーム３）の上方に向かう反り返りは、ローラアーム３の剛性が低い場合のみならず、ローラアーム３自体に成型当初から生じている場合もある。
【０００９】
本発明は上記の事情にもとづきなされたもので、その目的とするところは、ディスクの非搬送状態においても、ローラアームとディスクとが接触するのを防止することが可能なディスク再生装置を提供しよう、とするものである。
【課題を解決するための手段】
【００１０】
上記課題を解決するために、本発明は、ディスクを搬送すると共にこのディスクを再生することが可能なディスク再生装置において、搬送ローラを具備し、この搬送ローラの高さ位置をディスクに接触する搬送位置とディスクから離れる非搬送位置とに切り替え可能なローラアームと、ディスクが搬送される際に該ディスクとは干渉しない部位に設けられると共に、ローラアームに対して搬送位置に向かう付勢力を与える付勢手段と、ローラアームが非搬送位置にある状態において、ローラアームが付勢手段により変形してディスク側へ浮き上がるのを抑える浮き上がり防止機構と、を具備するものである。
【００１１】
また、他の発明は、上述の発明に加えて更に、ローラアームは、搬送ローラを回動自在に支持する一対の側方支持部と、該一対の側方支持部の間に設けられるプレート部と、を有すると共に、浮き上がり防止機構は、プレート部のうち長手方向の中央部分に設けられる浮き防止爪と、ローラアームとは異なる別部材に設けられ、浮き防止爪よりもディスクが配置される側に設けられると共に、浮き防止爪に対してディスクが配置される側から当接可能な押さえ軸と、を有するものである。
【００１２】
さらに、他の発明は、上述の発明に加えて更に、プレート部には、その長手方向の中央部分に、ディスクの差し込み側に向かって突出する突出部が設けられていると共に、浮き防止爪は、突出部の一側辺に設けられ、押さえ軸は別部材のうち浮き防止爪に対応する部位に１つ設けられるものである。
【００１３】
また、他の発明は、上述の発明に加えて更に、プレート部には、その長手方向の中央部分に、ディスクの差し込み側に向かって突出する突出部が設けられていると共に、浮き防止爪は、突出部の一側辺および他側辺にそれぞれ設けられ、押さえ軸は別部材のうち浮き防止爪にそれぞれ対応する部位に１つずつ設けられるものである。
【００１４】
さらに、他の発明は、上述の各発明に加えて更に、ローラアームは、一対の側方支持部のそれぞれに設けられている軸受部を支点として回動自在に設けられていると共に、浮き防止爪は、平面状の当接面を有し、この当接面を介して押さえ軸と当接していると共に、一対の軸受部を結ぶ回転中心線は、当接面上に存在する、こととしたものである。
【００１５】
また、他の発明は、上述の各発明に加えて更に、ローラアームは、一対の側方支持部のそれぞれに設けられている軸受部を支点として回動自在に設けられていると共に、浮き防止爪は、平面状の当接面を有し、この当接面を介して押さえ軸と当接していると共に、一対の軸受部を結ぶ回転中心線は、当接面から外れた部位に設けられている、こととしたものである。
【００１６】
さらに、他の発明は、上述の各発明に加えて更に、浮き防止爪のうちディスクが配置される側と反対側には外周押さえ部が設けられ、この外周押さえ部と押さえ軸によって、ディスクが配置される側とその反対側から浮き防止爪を挟み込むものである。
【００１７】
また、他の発明は、上述の各発明に加えて更に、押さえ軸側から外周押さえ部側に向かう浮き防止爪の断面形状は、半円形状に形成されると共に、浮き防止爪の半円の径方向中心が回転中心線上に設けられているものである。
【００１８】
さらに、他の発明は、上述の発明に加えて更に、ローラアームは、搬送ローラを回動自在に支持する一対の側方支持部と、該一対の側方支持部の間に設けられるプレート部と、を有すると共に、浮き上がり防止機構は、挿通穴を具備しプレート部のうち長手方向の中央部分に設けられる覆い部と、ローラアームとは異なる別部材に設けられ、挿通穴に挿通される押さえ軸と、を有するものである。
【発明の効果】
【００１９】
本発明によると、ディスクの非搬送状態においても、ローラアームとディスクとが接触するのを防止可能となる。
【発明を実施するための最良の形態】
【００２０】
以下、本発明の一実施の形態に係るディスク再生装置について、図１から図１０に基づいて説明する。図１は、本発明のディスク再生装置１０の構成を示す分解斜視図である。このディスク再生装置１０は、ＣＤ（Compact Disc）およびＤＶＤ（Digital Versatile Disc）等といったディスク１１（図２他参照）を再生するものである。しかしながら、ディスク１１は、ＣＤ、ＤＶＤには限られず、ＣＤ−Ｒ、ＤＶＤ−Ｒ、ＤＶＤ−ＲＷ等の他の円盤形状を有する記録媒体でも良い。
【００２１】
また、以下の説明においては、ディスク１１として、直径が１２ｃｍの大径のディスクについて図示しながら説明する。なお、直径８ｃｍの小径のディスクは図示されないものの、該小径のディスクを使用しても大径のディスクと同様の作用効果が生じる。
【００２２】
また、以下の説明では、上側（上方側）とは、ディスク１１が水平状態となる向きにディスク再生装置１０を配置したときに、後述するターンテーブル９０からクランパ８１に向かう方向を指す（図９参照）。また、下側（下方側）とは、同じく、クランパ８１からターンテーブル９０に向かう方向（メインシャーシ１８の底面１８ａ側（図３参照））を指す。さらに、奥側とは、ディスク１１がディスク再生装置１０の内部に搬入される際の該ディスク１１の進行方向側を指し、手前側とは、ディスク１１が搬出される側（ディスク差込口１９側）を指す。
【００２３】
同様に、下向きとは、ディスク１１が水平状態となる向きにディスク再生装置１０を配置したときに、クランパ８１からターンテーブル９０に向かう方向を指す。また、上向きとは、これと逆の方向を指す。
【００２４】
ディスク再生装置１０は、図１に示すように、アウターシャーシ部材１２と、ディスクガイド部材１３と、フローティング部材１４と、ローラ部材１５と、メカ基板１６と、スイッチ基板１７とを有している。フローティング部材１４は、別部材としてのメインシャーシ１８を備えている。このメインシャーシ１８に、ディスクガイド部材１３、ローラ部材１５、メカ基板１６、および後述するクランプレバー８０等の各種部材が取り付けられる。
【００２５】
また、アウターシャーシ部材１２には、側壁２０ａ，２０ｂが取り付けられる。また、アウターシャーシ部材１２の四隅には、ダンパ２２を支持するダンパ支持部２１が、上下方向に立設する状態で設けられている。ダンパ支持部２１には、孔２１ａが設けられていて、アウターシャーシ部材１２の外側から孔２１ａに、ダンパ２２を差し込むことが可能となっている。
【００２６】
アウターシャーシ部材１２は、側壁２０ａ，２０ｂ、ダンパ２２及びバネ２３を介してフローティング部材１４を支持している。本実施の形態では、フローティング部材１４の４隅の近傍に、夫々１つずつ、計４つのダンパ２２が設けられている。また、ダンパ２２よりも内部寄りの部位に、計４つのバネ２３が設けられている。また、ダンパ２２には、差込穴２２ａが設けられていて、フローティング部材１４の支持軸２４ａが差し込まれる。支持軸２４ａは、フローティング部材１４側に存するピン状部材であり、底面１８ａから上方に向かい立設されている立設部２４に設けられている。また、支持軸２４ａは、立設部２４から側方に向かって突出している。かかるダンパ２２の弾性変形が、該バネ２３の弾性力に対する抵抗となる。
【００２７】
また、バネ２３は、その一端側がアウターシャーシ部材１２のバネ係止部２５に掛け止めされると共に、その他端側がディスクガイド部材１３またはフローティング部材１４に存在するバネ係止部２６に掛け止めされる。それにより、フローティング部材１４は、アウターシャーシ部材１２に対してフローティング状態で支持可能となる。
【００２８】
なお、不図示のフローティング状態を切り替える機構によって、アウターシャーシ部材１２に対するフローティング部材１４のフローティング状態、および固定状態が切替可能となっている。また、アウターシャーシ部材１２に対してフローティング部材１４および必要に応じてケース等の他の部材が取り付けられることにより、ディスク１１を挿入するディスク差込口１９が形成される。
【００２９】
フローティング部材１４には、手前側（ディスク差込口１９側）の上方を覆うように、例えばネジ等の固定手段によってディスクガイド部材１３が取り付けられる。ディスクガイド部材１３は、ディスク１１のディスク再生装置１０の内部への搬入をガイドする。なお、ディスクガイド部材１３は、大径のディスク１１と、小径のディスク１１とが進行する向きを、切り分けることを可能としている。
【００３０】
ここで、フローティング部材１４には、ローラ部材１５が取り付けられている。ローラ部材１５は、図１に示すように、フローティング部材１４のうち、手前側に取り付けられる。ローラ部材１５は、ローラアーム３０と、後述する搬送ローラ４０とを具備している。このうち、ローラアーム３０は、例えば樹脂を材質として形成されている。また、図１および図２に示すように、ローラアーム３０は、側方支持部３１と、プレート部３２と、を有している。側方支持部３１は、ローラアーム３０の長手方向の両端側に設けられている。図２および図３に示すように、側方支持部３１の手前側の部位には、軸受部３３ａが設けられている。軸受部３３ａは、その外観が略Ｃ字形状を為すように設けられていて、その内部に回転軸３４を差し込むことを可能としている。
【００３１】
なお、回転軸３４は、メインシャーシ１８の手前側の立設部２４の内壁側から、ローラアーム３０の長手方向に沿って突出している（図２、図３参照）。そのため、ローラ部材１５が回動しても、メインシャーシ１８に対する軸受部３３ａの高さ位置は、変化しない。また、図２には、２つの軸受部３３ａの中心軸線を結んだ、回転中心線Ｌが示されている。
【００３２】
また、側方支持部３１の奥側の部位には、ローラ軸受部３３ｂが設けられていて、このローラ軸受部３３ｂによって、ローラシャフト４１が回転自在に軸支されている。そのため、軸受部３３ａを中心としてローラアーム３０が回動すると、ローラシャフト４１が、底面１８ａに対して接離する上下方向に移動する。なお、ローラシャフト４１の図２において右側の端部には、側方支持部３１よりも側壁２０ａ側に突出する状態で、ローラギヤ４２が取り付けられている。ローラギヤ４２は、ローラアーム３０の回動に伴なって、図４に示す従動ギヤ４３に対して噛み合い、または噛み合いが解かれたりする。
【００３３】
なお、従動ギヤ４３および従動ギヤ４４には、不図示のローディングモータからの駆動力が伝達される。それにより、従動ギヤ４３とローラギヤ４２とが噛み合っている場合には、ローラシャフト４１を回転可能となる。
【００３４】
また、ローラシャフト４１には、ローラギヤ４２よりも側壁２０ａ側に向かって突出する摺動軸４５が設けられている。摺動軸４５は、図５に示すように、スライダ７０ａの傾斜壁７１（図５等参照）と摺動する部分である。それにより、スライダ７０ａが前方へスライドして、傾斜壁７１が前方に移動すると、該傾斜壁７１と摺動する摺動軸４５が下方に押される。それにより、ローラアーム３０の回動（押し下げ）を可能としている。
【００３５】
図２、図５に示すように、ローラシャフト４１には、ローラカバー４６がその外周を覆うように取り付けられている。ローラカバー４６は、例えばゴムや樹脂等のように、ディスク１１の下面に接触しても損傷を生じさせない柔らかめの材質であって、ディスク１１の下面に当接した場合に摩擦力を良好に与える材質から構成されている。なお、ローラシャフト４１とローラカバー４６とで、搬送ローラ４０が構成されている。
【００３６】
図６は、図２におけるＸ部付近を拡大して示す部分的な平面図である。図６に示すように、プレート部３２の長手方向の中央部分（ディスク再生装置１０の幅方向の中央部分）には、手前側に向かって突出するように、突出部３５が設けられている。この突出部３５のうち、側壁２０ｂと対向する側の一側辺からは、浮き上がり防止機構の一部となる浮き防止爪３６が突出している。浮き防止爪３６は、その平面形状が略矩形状であると共に（図６参照）、その断面形状が略半円形状である（図７参照）。なお、浮き防止爪３６の上方側には、平面状の当接面３６ａが設けられている。また、浮き防止爪３６の下方側は、円弧の一部を為す円弧面３６ｂとなっている。また、浮き防止爪３６は、突出部３５よりも下方側に位置しているのが好ましい。
【００３７】
図７は、図６のＡ−Ａ線に沿う断面図である。図７に示すように、浮き防止爪３６の略半円の断面中心Ｐは、上述した回転中心線Ｌ上に位置している。そのため、ローラアーム３０の回転に伴なって、浮き防止爪３６が回転した場合でも、中心点Ｐは、その高さが変化することがない。
【００３８】
図２に示すように、底面１８ａの手前側のうち、幅方向の中央部分には、手前側から奥側に向かい、該手前側が開放する状態で切り欠いた切り欠き部５０が設けられている。この切り欠き部５０のうち、側壁２０ｂ側の縁部から側壁２０ａ側に向かい、押さえ軸５１が突出する状態で設けられている。押さえ軸５１は、浮き上がり防止機構の一部となるものである。この押さえ軸５１は、断面が略矩形のロッド状の部材であると共に、その下方側が上述の当接面３６ａに当接している。なお、かかる当接においては、押さえ軸５１のうち当接面３６ａと奥側で当接している部分が、上述の回転中心線Ｌ上に位置しているか、または回転中心線Ｌと非常に近接する状態となっている。
【００３９】
図２、図６および図７に示すように、押さえ軸５１よりも奥側の部分には、外周押さえ部５２が設けられている。外周押さえ部５２は、浮き防止爪３６の奥側から下方側にかかる部分と近接対向する部分である。この外周押さえ部５２は、浮き防止爪３６と同様に、切り欠き部５０のうち、側壁２０ｂ側の縁部から側壁２０ａ側に向かって突出している。しかも、外周押さえ部５２は、押さえ軸５１よりも下方側に向かって延伸している（図７参照）。また、外周押さえ部５２には、上述の浮き防止爪３６の下方側の円弧面３６ｂと略同一曲率の円筒面５２ａが設けられている。円筒面５２ａは、浮き防止爪３６の下方側の円弧面３６ｂと近接対向している。すなわち、浮き防止爪３６は、上方側への移動が押さえ軸５１によって規制されると共に、奥側かつ下方側への移動が外周押さえ部５２（円筒面５２ａ）によって規制される。
【００４０】
図８は、図２におけるＹ部付近を拡大して示す部分的な平面図である。図８および図２に示すように、プレート部３２のうち、側方支持部３１に近接する部位であって、該側方支持部３１よりも中央寄りの部位には、バネ係止部３７が設けられている。バネ係止部３７は、その外観が略Ｌ字状（図示省略）のフック部材であり、プレート部３２よりも下方側に向かうように設けられている。また、バネ係止部３７の先端側は、それぞれ近くに位置する側壁２０ａまたは側壁２０ｂに向けられている。かかるバネ係止部３７には、付勢手段としての巻きバネ状の圧着バネ６０の一端側６０ａが係止される（図８参照）。
【００４１】
また、底面１８ａには、バネ配置部５３が設けられている。バネ配置部５３は、底面１８ａのうち手前側かつ側壁２０ａ，２０ｂ寄りの部分を、例えば切り欠くことにより形成されている。なお、本実施の形態では、バネ配置部５３は、立設部２４のうち、支持軸２４ａとは反対側の側面に、隣り合う状態で設けられている。
【００４２】
また、バネ配置部５３に配置される圧着バネ６０は、その他端側６０ｂが底面１８ａの下方側に位置する状態で配置される。なお、かかる圧着バネ６０の他端側６０ｂが当接する底面１８ａの下面側を、バネ受け部５５とする（図８参照）。
【００４３】
このような構成により、ローラアーム３０は、圧着バネ６０によって搬送ローラ４０が上方に向かう付勢力を受けながら、軸受部３３ａを中心として回動可能となる。それにより、ディスク１１に当接する搬送状態とディスク１１から離れるチャッキング状態（非搬送状態）とが切り替え可能となる。
【００４４】
また、図２に示すように、ローラシャフト４１の両側方には、スライダ７０ａ，７０ｂが設けられている。このうち、図２において右側のスライダ７０ａは、不図示のローディングモータの駆動により、奥側と手前側との間を移動可能としている。なお、この移動の様子は、図９（ａ）〜（ｄ）に示される通りである。また、スライダ７０ａ，７０ｂは、上下方向に沿うように立設されている。
【００４５】
スライダ７０ａのうち、ローラシャフト４１側の壁面には、傾斜壁７１が設けられている。傾斜壁７１は、手前側から奥側に向かうにつれて、下方に向かうように傾斜している。かかる傾斜壁７１には、摺動軸４５が当接する。それにより、スライダ７０が手前側に移動すると、摺動軸４５を介してローラシャフト４１（搬送ローラ４０）が下方に押される。それにより、軸受部３３ａ（回転軸３４）を支点として、ローラ部材１５が回動し、搬送ローラ４０が下降する。
【００４６】
また、図９に示すように、スライダ７０の奥側には、カム溝７２が形成されている。カム溝７２の手前側には、平行部分７２ａが設けられていると共に、該平行部分７２ａよりも奥側には、手前側から奥側に向かうにつれて下方に降下する傾斜部分７２ｂが設けられている。このカム溝７２には、後述する突出ピン８４が差し込まれる。
【００４７】
また、フローティング部材１４には、クランプレバー８０が設けられている。このクランプレバー８０には、ディスク１１をターンテーブル９０に向けて圧接するクランパ８１が、回動自在に取り付けられている。また、クランプレバー８０は、フローティング部材１４の奥側に設けられている軸受８２を中心として、回動可能に設けられている。なお、図９に示すように、クランプレバー８０には、板バネ８３が取り付けられていて、該板バネ８３には、カム溝７２に差し込まれる突出ピン８４が設けられている。そのため、スライダ７０が手前側に移動すると、突出ピン８４がカム溝７２により押され、クランプレバー８０がチャッキング解除状態（搬送状態）から、ディスク１１のチャッキング状態（非搬送状態）へと移行する。
【００４８】
なお、フローティング部材１４のうち、クランパ８１と対向する部位には、ターンテーブル９０が設けられている。ターンテーブル９０は、スピンドルモータ９１の回転軸９１ａに取り付けられていて、該スピンドルモータ９１の回転に伴って回転する。
【００４９】
以上のような構成を有するディスク再生装置１０の作用（動作）について、以下に説明する。
【００５０】
ディスク１１をディスク再生装置１０の内部に搬入する場合、最初に図９（ａ）に示すように、搬送ローラ４０が上方の搬送位置に位置している。この状態において、ディスク１１がディスク再生装置１０の内部を進行すると、いずれディスク１１の奥側の先端部分が、不図示のトリガに当接する。それにより、不図示のトリガが回動され、その回動に伴なって、スライダ７０のギヤ部分（不図示）が、ローディングモータの伝達ギヤと噛み合う。それにより、図９（ａ）〜（ｂ）に示すように、スライダ７０が手前側に向かう。
【００５１】
すると、傾斜壁７１が摺動軸４５に衝突し（図９（ｂ）参照）、さらにスライダ７０がスライドを継続すると、図９（ｂ）〜（ｄ）に示すように、ローラ部材１５が軸受部３３ａ（回転軸３４）を支点として回動する。また、図９（ａ）〜（ｄ）に示すように、スライダ７０が手前側に向かってスライドすると、突出ピン８４がカム溝７２によって下方に押される。
【００５２】
それにより、クランプレバー８０も上方から下方に向かって回動され、図９（ｄ）に示すように、クランパ８１とターンテーブル９０との間でディスク１１を挟持する。なお、この挟持状態では、スピンドルモータ９１の回転により、ディスク１１を回転させ、該ディスク１１の再生が可能となる。
【００５３】
ここで、図９（ｄ）に示すディスク１１のチャッキング状態（非搬送状態に対応）においては、搬送ローラ４０が下方側（底面１８ａ側）に位置するため、プレート部３２とディスク１１の記録面（裏面）とが近接する状態となる。しかも、プレート部３２の両端側には、圧着バネ６０が配置されていて、該圧着バネ６０の付勢力により、プレート部３２が下方側から持ち上げられている。そのため、プレート部３２の長手方向の中央部分は、上方側（ディスク１１の裏面側）に向かって撓んで、ディスク１１の記録面（裏面）に接触しようとする。
【００５４】
しかしながら、底面１８ａには、押さえ軸５１が設けられていると共に、プレート部３２の中央部には、押さえ軸５１と当接可能な浮き防止爪３６が設けられている。そのため、プレート部３２の中央部分が上方に向かって撓もうとしても、浮き防止爪３６が押さえ軸５１にぶつかることにより、浮き上がり（撓み）が押さえられる。そのため、プレート部３２の中央部分が、ディスク１１の裏面に接触するのが防止される。
【００５５】
このような構成のディスク再生装置１０によれば、浮き防止爪３６と押さえ軸５１とが設けられることにより、プレート部３２の中央部分が、上方に向かって浮き上がる（撓む）のが防止される。それにより、ディスク１１のチャッキング時（非搬送状態）において、プレート部３２の中央部分が、ディスク１１の記録面（裏面）と接触するのを防止することができる。すなわち、ディスク１１のチャッキング状態においても、常に一定のクリアランスを保つことができる。
【００５６】
このため、プレート部３２の材質として、薄い部材、または幅の狭い部材等の剛性の低い部材を用いることができる。また、プレート部３２に予め上方に向かう反りが生じていても、該反りによるディスク１１への接触の問題がなくなる。すなわち、ローラアーム３０に不良が生じるのを低減させ、歩留まりを向上させることができる。そのため、製造コストの削減を図ることが可能となる。また、幅狭の部材によりプレート部３２を形成した場合には、プレート部３２の占める面積を低減でき、それによって他の部材を配置することができ、設計の自由度を向上させることができる。
【００５７】
また、プレート部３２とディスク１１の記録面（裏面）との接触を防止することにより、ディスク１１の記録面（裏面）に傷が付くのを防止することができる。それにより、記録面の読み取り性能が悪化したり、ディスク１１の商品価値が低下するのを防ぐことができる。
【００５８】
さらに、浮き防止爪３６の略半円の断面中心Ｐは、上述した回転中心線Ｌ上に位置している。そのため、ローラアーム３０の回転に伴なって、浮き防止爪３６が回転した場合でも、中心点Ｐの高さ位置は変化しない。それにより、プレート部３２の浮き上がりを、良好に防止することが可能となる。また、押さえ軸５１を当接面３６ａに常に当接させることができ、該当接状態が外れる、といった不具合が生じるのを防止することができる。
【００５９】
また、押さえ軸５１のうち当接面３６ａと奥側で当接している部分が、上述の回転中心線Ｌ上に位置しているか、または非常に近接している状態となっている。そのため、押さえ軸５１と当接面３６ａとの接触部分は、回転中心線Ｌ上か、または非常に近接している状態となり、ローラアーム３０が回動しても、プレート部３２に撓み変形が生じるのを確実に押さえることができる。そのため、プレート部３２に撓み変形のくせが生じるのを防止でき、繰り返し長期に亘ってディスク再生装置１０を使用しても、プレート部３２が変形するのを防止することができる。
【００６０】
以上、本発明の一実施の形態について説明したが、本発明はこれ以外にも種々変形可能となっている。以下、それについて述べる。
【００６１】
上述の実施の形態における浮き上がり防止機構では、浮き防止爪３６は、突出部３５のうち、側壁２０ｂと対向する側の一側辺から突出している。しかしながら、図１１に示すように、突出部３５のうち、側壁２０ｂと対向する側の一側辺のみならず、側壁２０ａと対向する他側辺からも浮き防止爪３６を突出させても良い。この場合、切り欠き部５０のうち、側壁２０ｂ側の縁部から側壁２０ａ側に向かう押さえ軸５１のみならず、側壁２０ａ側の縁部から側壁２０ｂに向かう押さえ軸５１も設けられる。
【００６２】
かかる構成では、浮き防止爪３６と押さえ軸５１とが、それぞれ２つ設けられるため、プレート部３２の中央部分の浮き上がりを、一層良好に防止することが可能となる。なお、この図１１に示す構成では、浮き防止爪３６を突出部３５の両側辺に設けるのに対応させて、突出部３５はプレート部３２の長手方向の中心を境に、対称となる形状に形成されている。
【００６３】
また、上述の実施の形態における浮き上がり防止機構では、押さえ軸５１と共に外周押さえ部５２を設け、押さえ軸５１と外周押さえ部５２とによって、浮き防止爪３６を上下方向から挟み込んでいる。しかしながら、かかる構成を採用する代わりに、図１２および図１３（図１３は、図１２のＢ−Ｂ線に沿う断面図である。）に示す構成を採用することができる。図１２、図１３に示す構成では、突出部３５の一側辺に、断面が略Ｃ字形状となる覆い部３８が設けられている。かかる覆い部３８には、挿通穴３８ａが設けられると共に、挿入口３８ｂが設けられている。挿通穴３８ａには、押さえ軸５４が挿通される。押さえ軸５４は、上述の押さえ軸５１とは異なり、円形断面の両端側を切り欠いた樽型断面を有している。そのため、押さえ軸５４は、向きによって挿入口３８ｂを容易に通過させることを可能としている。なお、かかる樽型断面の中心は、上述した回転中心線Ｌ上に位置している。
【００６４】
かかる構成では、覆い部３８により押さえ軸５４が覆われた状態となる。そのため、これらの間の係合により、プレート部３２が上下方向のいずれの方向に撓むのも規制される。また、この構成では、覆い部３８が押さえ軸５４の周囲を覆う配置となるため、外周押さえ部５２が設けられるのを省略することができる。なお、挿入口３８ｂの開口寸法は、上述の樽型断面の短手側の寸法よりも大きく形成されていて、押さえ軸５４を挿通穴３８ａに容易に挿通可能となっている。
【００６５】
また、上述の実施の形態における浮き上がり防止機構では、浮き防止爪３６の当接面３６ａに、回転中心線Ｌが位置している場合について説明している。しかしながら、図１４および図１５（図１５は、図１４のＣ−Ｃ線に沿う断面図である。）に示すように、浮き防止爪３６および押さえ軸５１が回転中心線Ｌからずれていても構わない。このように構成した場合、ディスク１１の搬送状態においては、回転中心線Ｌよりも奥側が持ち上げられると共に、該回転中心線Ｌよりも手前側は降下させられる。そのため、当接面３６ａは押さえ軸５１と当接せずに離れている。しかしながら、ディスク１１のチャッキング状態においては、回転中心線Ｌよりも奥側が降下させられると共に、該回転中心線Ｌよりも手前側は持ち上げられて、当接面３６ａに対して押さえ軸５１が当接する。そのため、プレート部３２の中央部分の浮き上がりを、良好に防止することが可能となる。
【００６６】
また、上述の実施の形態では、付勢手段として、圧着バネ６０を用いた場合について説明している。しかしながら、付勢手段は、圧着バネ６０に限られるものではなく、例えばゴム等の付勢手段を用いても良い。
【００６７】
また、上述の実施の形態における突出部３５を省略すると共に、手前側に向かって浮き防止爪３６が突出する構成を採用しても良い。また、上述の実施の形態では、別部材としてメインシャーシ１８を用いる場合について説明している。しかしながら、別部材としては、メインシャーシ１８に限られるものではなく、該メインシャーシ１８に取り付けられる他の部材を別部材として用いても良い。
【産業上の利用可能性】
【００６８】
本発明のディスク再生装置は、音響機器及び映像再生機器の分野において利用することができる。
【図面の簡単な説明】
【００６９】
【図１】本発明の一実施の形態に係るディスク再生装置の構成を示す分解斜視図である。
【図２】図１のディスク再生装置において、ローラ部材および浮き防止機構の構成を示す部分的な平面図である。
【図３】図１のディスク再生装置において、ローラアームの回動の様子を示す部分的な側面図であり、（ａ）はディスクを搬送する状態、（ｂ）はディスクのチャッキング状態を示す図である。
【図４】図１のディスク再生装置において、ローラギヤおよび従動ギヤの噛み合いの状態を示す側面図であり、（ａ）はディスクの搬送状態を示し、（ｂ）は摺動軸が傾斜壁に当接した状態を示し、（ｃ）はローラ部材が回動し始めた状態を示し、（ｄ）はディスクのチャッキング状態においてローラギヤと従動ギヤとの間の噛み合いが外れた状態を示す。
【図５】図１のディスク再生装置において、スライダの傾斜壁と摺動軸との関係を示す部分的な分解斜視図である。
【図６】図１のディスク再生装置において、図２のＸ部付近の構成を拡大して示す部分的な平面図である。
【図７】図１のディスク再生装置におけて、図６のＡ−Ａ線に沿う押さえ軸、浮き防止爪および外周押さえ部の構成を示す側断面図である。
【図８】図１のディスク再生装置において、図２のＹ部付近の構成を拡大して示す部分的な平面図である。
【図９】図１のディスク再生装置において、スライダ、ローラ部材およびクランプレバーの位置関係を示す側面図であり、（ａ）はディスクの搬送状態を示し、（ｂ）は摺動軸が傾斜壁に当接した状態を示し、（ｃ）はローラ部材が回動し始めた状態を示し、（ｄ）はディスクのチャッキング状態を示す。
【図１０】図１のディスク再生装置において、クランパ、ターンテーブルおよびスピンドルモータの構成を示す側断面図である。
【図１１】図１のディスク再生装置の変形例に係り、突出部の両側縁から浮き防止爪が突出して設けられている状態を示す平面図である。
【図１２】図１のディスク再生装置の変形例に係り、図２のＸ部付近の構成において、浮き防止爪に代えて覆い部が設けられている状態を拡大して示す部分的な平面図である。
【図１３】図１のディスク再生装置の変形例に係り、図１２のＢ−Ｂ線に沿う押さえ軸および覆い部の構成を示す側断面図である。
【図１４】図１のディスク再生装置の変形例に係り、図２のＸ部付近の構成において、回転中心線Ｌを浮き防止爪からずらした状態を拡大して示す部分的な平面図である。
【図１５】図１のディスク再生装置の変形例に係り、図１４のＣ−Ｃ線に沿う押さえ軸および覆い部の構成を示す側断面図である。
【図１６】従来のディスク再生装置において、ローラ部材および浮き防止機構の構成を示す部分的な平面図である。
【図１７】従来のディスク再生装置において、プレート部の中央部が撓むイメージを示す正面図である。
【符号の説明】
【００７０】
１０…ディスク再生装置
１１…ディスク
１５…ローラ部材
１８…メインシャーシ（別部材に対応）
１９…ディスク差込口
２０ａ，２０ｂ…側壁
３０…ローラアーム
３２…プレート部
３３ａ…軸受部
３４…回転軸
３５…突出部
３６…浮き防止爪（浮き上がり防止機構の一部）
３６ａ…当接面
４０…搬送ローラ
４１…ローラシャフト
５０…切り欠き部
５１…押さえ軸（浮き上がり防止機構の一部）
５２…外周押さえ部
６０…圧着バネ（付勢手段）
７０…スライダ
８０…クランプアーム
８１…クランパ
９０…ターンテーブル
【図１】
2005267753.tif 000003
【図２】
2005267753.tif 000004
【図３】
2005267753.tif 000005
【図４】
2005267753.tif 000006
【図５】
2005267753.tif 000007
【図６】
2005267753.tif 000008
【図７】
2005267753.tif 000009
【図８】
2005267753.tif 000010
【図９】
2005267753.tif 000011
【図１０】
2005267753.tif 000012
【図１１】
2005267753.tif 000013
【図１２】
2005267753.tif 000014
【図１３】
2005267753.tif 000015
【図１４】
2005267753.tif 000016
【図１５】
2005267753.tif 000017
【図１６】
2005267753.tif 000018
【図１７】
2005267753.tif 000019